(57)【要約】【課題】  従来の光学部品保持装置では、部品点数が多く、また、金型構造が複雑であって不経済であるばかりでなく、光学部品及びハウジングの生産性が悪いという問題があった。【解決手段】  一対のリブ部１５ｂ，１５ｃを有する接眼レンズ１５と、一対のリブ部が挿入されるテーパ溝からなるスリット部２８を有するハウジング１６と、を備え、スリット部で一対のリブ部を挟持してハウジングで接眼レンズを保持する光学部品保持装置に関する。一対のリブ部１５ｂ，１５ｃの接眼レンズ１５の光軸方向の一面側の３箇所に基準面となる第１平面３１ｂ〜第３平面３３ｂを設けると共に、一対のリブ部の光軸方向の他面側の複数箇所に押圧部となる凸部３４，３５を設ける。そして、スリット部２８の３箇所の基準面と対応する一面側の３箇所に第１支持面となる第１受面４７ａ〜第３受面７９ｂを設けると共に、スリット部の他面側の複数箇所に第２支持面となる凸部受面４７ｂ，４９ｃを設ける。【選択図】      図４
2005234334.tif 000002
【特許請求の範囲】
【請求項１】
一対のリブ部を有する光学部品と、
前記一対のリブ部が挿入されるテーパ溝からなるスリット部を有するハウジングと、を備え、
前記スリット部で前記一対のリブ部を挟持して前記ハウジングで前記光学部品を保持する光学部品保持装置において、
前記一対のリブ部の前記光学部品の光軸方向における一面側の３箇所に、前記挿入方向と平行する方向に展開される基準面を設けると共に、当該一対のリブ部の前記光軸方向における他面側の複数箇所に押圧部を設け、
前記スリット部の前記３箇所の基準面と対応する一面側の３箇所に、前記挿入方向と平行する方向に展開され且つ前記基準面に接触する第１支持面を設けると共に、当該スリット部の他面側の複数箇所に、前記挿入方向と平行する方向に展開され且つ前記押圧部に接触する第２支持面を設けたことを特徴とする光学部品保持装置。
【請求項２】
前記３箇所の基準面のうち２箇所の基準面を、前記一対のリブ部の一方のリブ部において、当該リブ部が延在する方向の両端に設け、
前記押圧部は、前記リブ部が延在する方向の中途部に設けたことを特徴とする請求項１記載の光学部品保持装置。
【請求項３】
前記２箇所の基準面が前記リブ部の延在する方向に重なり合う場合に、当該２箇所の基準面間に段差を設け、
前記段差は、前記リブ部の中心からの距離を前記スリット部の奥側よりも開口側を長くして設けたことを特徴とする請求項２記載の光学部品保持装置。
【請求項４】
前記光学部品は、光を通過し又は反射する光学部品本体と、前記光学部品本体の光軸を挟んで両側に設けた前記一対のリブ部と、を有するレンズ、プリズム、フィルタ又はミラーのいずれかであることを特徴とする請求項１記載の光学部品保持装置。
【請求項５】
前記押圧部は、半円筒形、半球形、円錐形、角錐形、円錐台形、角錐台形、円筒形又は角筒形のいずれかであることを特徴とする請求項１記載の光学部品保持装置。
【請求項６】
前記光学部品は、光学式ビューファインダに用いられるレンズ、プリズム、フィルタ又はミラーのいずれかであることを特徴とする請求項１記載の光学部品保持装置。
【請求項７】
光を通過し又は反射する光学部品本体と、
前記光学部品本体の光軸を挟んで両側に設けられた一対のリブ部と、を有し、
前記一対のリブ部の前記光学部品本体の光軸方向における一面側の３箇所に、当該リブ部が延在する方向と平行する方向に展開される基準面を設けると共に、前記一対のリブ部の他面側の複数箇所に押圧部を設けたことを特徴とする光学部品。
【請求項８】
前記３箇所の基準面のうち２箇所の基準面を、前記一対のリブ部の一方のリブ部において、当該リブ部が延在する方向の両端に設け、
前記押圧部は、前記リブ部が延在する方向の中途部に設けたことを特徴とする請求項７記載の光学部品。
【請求項９】
前記２箇所の基準面が前記リブ部の延在する方向に重なり合う場合に、当該２箇所の基準面間に段差を設け、
前記段差は、前記リブ部の中心からの距離を前記スリット部の奥側よりも開口側を長くして設けたことを特徴とする請求項８記載の光学部品。
【請求項１０】
前記光学部品は、レンズ、プリズム、フィルタ又はミラーのいずれかであることを特徴とする請求項７記載の光学部品。
【請求項１１】
前記押圧部は、半円筒形、半球形、円錐形、角錐形、円錐台形、角錐台形、円筒形又は角筒形のいずれかであることを特徴とする請求項７記載の光学部品。
【請求項１２】
一対のリブ部が挿入されるテーパ溝からなるスリット部を有し、
前記スリット部の一面側の３箇所に、前記挿入方向と平行する方向に展開される第１支持面を設けると共に、当該スリット部の他面側の複数箇所に、前記挿入方向と平行する方向に展開される第２支持面を設けたことを特徴とするハウジング。
【請求項１３】
前記３箇所の第１支持面のうち２箇所の第１支持面を、前記スリット部の前記挿入方向の両端に設け、
前記第２支持面は、前記挿入方向の中途部に設けたことを特徴とする請求項１２記載のハウジング。
【請求項１４】
前記２箇所の第１支持面が前記挿入方向に重なり合う場合に、当該２箇所の第１支持面間に段差を設け、
前記段差は、前記スリット部の中心からの距離を奥側よりも開口側を長くして設けたことを特徴とする請求項１３記載のハウジング。
【発明の詳細な説明】
【技術分野】
【０００１】
本発明は、レンズやプリズム、フィルタ等の光学部品を保持する光学部品保持装置、その光学部品及びその光学部品を保持するために好適なハウジングに関し、特に、スチルカメラやビデオカメラ等の電子機器に用いられるビューファインダやレンズ装置等に使用される光学部品を電子機器本体に対して高精度に、しかも簡単に取り付けられるようにした光学部品保持装置、光学部品及びハウジングに関するものである。
【背景技術】
【０００２】
従来の、この種の光学部品保持装置としては、例えば、特許文献１に記載されているようなものがある。特許文献１には、ファインダの組み付けを簡略化したカメラに関するものが記載されている。この特許文献１に記載されたカメラは、撮影機構が組み込まれたカメラ本体部と、このカメラ本体部を前面と背面からそれぞれ覆うようにして組み付けられる前カバー及び後カバーとを有するカメラにおいて、対物レンズと接眼レンズとを含むファインダ光学系が組み込まれた枠体からなるファインダユニットを、前カバー及び後カバーのいずれか一方の内面で直接保持させた後、残った他方のカバーを被せることによって前後から挟持させ、前記対物レンズと接眼レンズとを前カバーに形成された対物窓と後カバーに形成された接眼窓からそれぞれ露呈させた、ことを特徴としている。
【０００３】
このような構成を有するカメラによれば、カメラ本体部とは分離しているファインダユニットを、外装となる前カバー及び後カバーによって前後から挟持させるようにしたので、ファインダユニットをカバーに対して直接位置決めでき、正確な位置での組み込みを簡単に行うことができる。また、カバー側にはファインダユニットを安定に保持するための突起を形成したので、ファインダの組み込み後にこれが脱落することもない、という効果が期待される。
【０００４】
また、この種の光学部品保持装置の他の例としては、例えば、特許文献２に記載されているようなものもある。特許文献２には、一体成形によって形成される保持装置を用いて行う光学部品の保持技術に関するものが記載されている。この特許文献２に記載された光学部品保持装置は、一体的に成形された凹部を有する光学部品保持装置であって、前記凹部は、光学部品を保持する少なくとも一対の平行面を備えた保持部を有する、ことを特徴としている。
【０００５】
このような構成を有する光学部品保持装置によれば、凹部が、光学部品を保持する少なくとも一対の平行面を備えた保持部を有するので、たとえば平行な側面を有する光学部品を、ばね等の手段を用いることなく確実に保持でき、それにより部品コストを低く抑えることが可能となる。また、前記光学部品を、接着剤等を用いなく手も確実に保持できるため、前記凹部から離脱させることも容易に可能となっている、等の効果が期待される。
【特許文献１】特開２００２−９０８５２号公報
【特許文献２】特開２０００−２１４３６５号公報
【０００６】
しかしながら、上述したような従来の光学部品保持装置においては、前者の特許文献１の場合には、ハウジングのスリット部にレンズのリブを挿入することによって位置決めを行う構成となっており、そのハウジングは射出成形によって形成されていたため、ハウジングの金型構造上からスリット部に抜き勾配が必要とされていた。そのため、スリット部の全面に抜き勾配を形成して嵌合部の全面を当て付ける構造にすると、金型の抜き勾配面の補正が難しく、組立時における位置精度の高い追い込み調整を行うことができないという問題点があった。
【０００７】
このような問題点は、バネによってレンズを付勢して取り付ける方法や、後者の特許文献２に記載されているようにハウジングの金型をスライド構造にすることで抜き勾配の影響を無くす方法等の技術を用いることによって可能ではあるが、いずれの場合にも部品点数が増加して不経済であるばかりでなく、金型構造が複雑になるという課題があった。
【発明の開示】
【発明が解決しようとする課題】
【０００８】
解決しようとする問題点は、従来の光学部品保持装置では、部品点数が多く、また、金型構造が複雑であって不経済であるばかりでなく、光学部品及びハウジングの生産性が悪いことにある。
【課題を解決するための手段】
【０００９】
本出願の請求項１記載の発明は、一対のリブ部を有する光学部品と、一対のリブ部が挿入されるテーパ溝からなるスリット部を有するハウジングと、を備え、スリット部で一対のリブ部を挟持してハウジングで光学部品を保持する光学部品保持装置において、一対のリブ部の光学部品の光軸方向における一面側の３箇所に、挿入方向と平行する方向に展開される基準面を設けると共に、一対のリブ部の光軸方向における他面側の複数箇所に押圧部を設け、スリット部の３箇所の基準面と対応する一面側の３箇所に、挿入方向と平行する方向に展開され且つ基準面に接触する第１支持面を設けると共に、スリット部の他面側の複数箇所に、挿入方向と平行する方向に展開され且つ押圧部に接触する第２支持面を設けたことを最も主要な特徴とする。
【００１０】
本出願の請求項２記載の発明は、３箇所の基準面のうち２箇所の基準面を、一対のリブ部の一方のリブ部において、そのリブ部が延在する方向の両端に設け、押圧部は、リブ部が延在する方向の中途部に設けたことを特徴とする。
【００１１】
本出願の請求項３記載の発明は、２箇所の基準面がリブ部の延在する方向に重なり合う場合に、その２箇所の基準面間に段差を設け、その段差は、リブ部の中心からの距離をスリット部の奥側よりも開口側を長くして設けたことを特徴とする。
【００１２】
本出願の請求項４記載の発明は、光学部品は、光を通過し又は反射する光学部品本体と、光学部品本体の光軸を挟んで両側に設けた一対のリブ部と、を有するレンズ、プリズム、フィルタ又はミラーのいずれかであることを特徴とする。
【００１３】
本出願の請求項５記載の発明は、押圧部は、半円筒形、半球形、円錐形、角錐形、円錐台形、角錐台形、円筒形又は角筒形のいずれかであることを特徴とする。
【００１４】
本出願の請求項６記載の発明は、光学部品は、光学式ビューファインダに用いられるレンズ、プリズム、フィルタ又はミラーのいずれかであることを特徴とする。
【００１５】
本出願の請求項７記載の発明は、光を通過し又は反射する光学部品本体と、光学部品本体の光軸を挟んで両側に設けられた一対のリブ部と、を有し、一対のリブ部の光学部品本体の光軸方向における一面側の３箇所に、リブ部が延在する方向と平行する方向に展開される基準面を設けると共に、一対のリブ部の他面側の複数箇所に押圧部を設けたことを主要な特徴としている。
【００１６】
本出願の請求項８記載の発明は、３箇所の基準面のうち２箇所の基準面を、一対のリブ部の一方のリブ部において、そのリブ部が延在する方向の両端に設け、押圧部は、リブ部が延在する方向の中途部に設けたことを特徴とする。
【００１７】
本出願の請求項９記載の発明は、２箇所の基準面がリブ部の延在する方向に重なり合う場合に、その２箇所の基準面間に段差を設け、その段差は、リブ部の中心からの距離をスリット部の奥側よりも開口側を長くして設けたことを特徴とする。
【００１８】
本出願の請求項１０記載の発明は、光学部品は、レンズ、プリズム、フィルタ又はミラーのいずれかであることを特徴とする。
【００１９】
本出願の請求項１１記載の発明は、押圧部は、半円筒形、半球形、円錐形、角錐形、円錐台形、角錐台形、円筒形又は角筒形のいずれかであることを特徴とする。
【００２０】
本出願の請求項１２記載の発明は、一対のリブ部が挿入されるテーパ溝からなるスリット部を有し、そのスリット部の一面側の３箇所に、挿入方向と平行する方向に展開される第１支持面を設けると共に、スリット部の他面側の複数箇所に、挿入方向と平行する方向に展開される第２支持面を設けたことを主要な特徴としている。
【００２１】
本出願の請求項１３記載の発明は、３箇所の第１支持面のうち２箇所の第１支持面を、スリット部の挿入方向の両端に設け、第２支持面は、挿入方向の中途部に設けたことを特徴とする。
【００２２】
本出願の請求項１４記載の発明は、２箇所の第１支持面が挿入方向に重なり合う場合に、その２箇所の第１支持面間に段差を設け、その段差は、スリット部の中心からの距離を奥側よりも開口側を長くして設けたことを特徴とする。
【発明の効果】
【００２３】
本出願の光学部品保持装置によれば、光学部品の一対のリブ部をハウジングのスリット部に挿入すると、一対のリブ部の一面側に設けた３箇所の基準面がスリット部に設けた３箇所の第１支持面に接触すると共に、一対のリブ部の他面側に設けた複数箇所の押圧部がスリット部に設けた複数箇所の第２支持面に接触する。この場合、光学部品の一対のリブ部の一面側に設けた３箇所の基準面がハウジングのスリット部に設けた３箇所の第１支持面に接触すると共に、他面側に設けた複数箇所の押圧部がスリット部に設けた複数箇所の第２支持面に接触する構造としたため、それら基準面と第１支持面及び第２支持面を高精度に形成することにより、一対のリブ部及びスリット部の全体の形状及び寸法について高い精度を必要とすることなく、組立時において自動的に一対のリブ部をスリット部の所定位置に位置合わせすることができ、高精度な位置決めを簡単に行うことができる。
【００２４】
更に、一対のリブ部を有する光学部品及びスリット部を有するハウジングを製造するための金型について、基準面と第１支持面及び第２支持面を除いて、その形状及び寸法の精度をある程度ラフなものにできるため、金型の補正を容易に行うことができ、金型に必要な経費を削減して光学部品及びハウジングのコストダウンを図ることができる。しかも、一対のリブ部の一面側に設けた３箇所の基準面をスリット部の３箇所の第１支持面で３点支持すると共に、その反対側となる一対のリブ部の他面側に設けた複数箇所の押圧部をスリット部の複数箇所の第２支持面で支持する構成としたため、光学部品をスリット部内に追い込むことによって自動的に光学部品の位置決めを行うことができ、高精度な位置決めを簡単に行うことができる。
【００２５】
本出願の光学部品によれば、光学部品本体の両側に設けた一対のリブ部の一面側の３箇所に基準面を設け、他面側の複数箇所に押圧部を設ける構成としたため、比較的簡単な構造でありながら高精度な位置決めを簡単に行うことができる光学部品を提供することができる。そのような光学部品としては、レンズ、プリズム、フィルタ又はミラーを挙げることができる。これら光学部品を、例えば、光学式ビューファインダに用いることにより、その光学部品の支持構造を簡単にすることができ、光学部品保持装置全体の小型化、構造の簡単化を図ることができる。更に、押圧部の形状を、半円筒形、半球形、円錐形、角錐形、円錐台形、角錐台形、円筒形又は角筒形とすることにより、スリット部への光学部品の追い込みが容易であって、高精度な位置決めが容易な光学部品を得ることができる。
【００２６】
本出願のハウジングによれば、テーパ溝からなるスリット部の一面側の３箇所に第１支持面を設け、他面側の複数箇所に第２支持面を設ける構成としたため、比較的簡単な構造でありながら高精度な位置決めを簡単に行うことができる光学部品を支持するためのハウジングを提供することができる。このハウジングを用いることにより、これに対応した形状・構造を有する光学部品の支持構造を簡単にすることができ、光学部品保持装置全体の小型化、構造の簡単化を図ることができる。
【発明を実施するための最良の形態】
【００２７】
金型を用いて射出成形される光学部品とハウジングとの組み合わせからなる光学部品保持装置における抜き勾配が必要なスリット部やリブ部に関し、そのスリット部及びリブ部の大部分において高い精度が要求されることなく、スリット部及びリブ部の一部のみに高い精度を有する平面を形成することにより、組立時において自動的に一対のリブ部をスリット部の所定位置に位置合わせすることができ、高精度な位置決めを簡単に行うことができる光学部品保持装置、その光学部品及びこれを支持するハウジングを提供できるようにするという目的を、比較的簡単な構造によって実現した。
【実施例１】
【００２８】
図１〜図１５は、本発明の実施の形態を示すものである。すなわち、図１は本発明の光学部品保持装置が用いられた光学式ビューファインダとレンズ装置を示す斜視図、図２は図１の光学式ビューファインダが内蔵されたカメラの外観斜視図、図３は光学式ビューファインダの構成要素を示す説明図、図４は本発明の光学部品保持装置の第１の実施例を正面側から見た斜視図、図５は同じく背面側から見た斜視図、図６は本発明に係る光学部品の第１の実施例を上方から見た斜視図、図７は同じく下方から見た斜視図、図８Ａ〜Ｅは光学部品の第１の実施例を示すレンズの５面図、図９Ａ〜Ｄは図８Ａ〜Ｅに示すレンズが収納されるハウジングのスリット部を示す説明図、図１０Ａ〜Ｃは図８のレンズを図９のスリット部に収納した状態を示す説明図である。
【００２９】
また、図１１は本発明の光学部品保持装置の第２の実施例を正面側から見た斜視図、図１２は同じく背面側から見た斜視図、図１３Ａ〜Ｅは光学部品の第２の実施例を示すプリズムの５面図、図１４Ａ〜Ｄは図１３Ａ〜Ｅに示すプリズムが収納されるハウジングのスリット部を示す説明図、図１５Ａ〜Ｃは図１３のプリズムを図１４のスリット部に収納した状態を示す説明図である。
【００３０】
まず、本発明の光学部品保持装置を有する光学式ビューファインダと、その光学式ビューファインダが用いられた撮像装置の一具体例を示すデジタルスチルカメラについて、図１及び図２を参照して説明する。図１は、本発明の光学部品保持装置を有する光学式ビューファインダ２とレンズ装置３を示す斜視図である。そして、図２は、図１に示す光学式ビューファインダ２とレンズ装置３が内蔵されたデジタルスチルカメラ１の外観構成を示す斜視図である。
【００３１】
図２に示すように、デジタルスチルカメラ１は、略四角形をなす筐体からなる外装ケース４を備えている。外装ケース４の前面には、光学式ビューファインダ２の対物レンズ５とフラッシュ装置の発光部６が露出され、また、レンズ装置３の対物レンズ側が進退動作可能に露出されている。レンズ装置３は、入れ子式に構成された複数のレンズ鏡筒によって対物レンズその他のレンズが保持された、いわゆる沈胴式レンズ装置であり、外装ケース４の前面の略中央部に配置されている。このデジタルスチルカメラ１を正面から見て、レンズ装置３の右斜め上方に光学式ビューファインダ２の対物レンズ５が配置され、その接眼レンズが外装ケース４の後面に露出されている。また、レンズ装置３の真上には、フラッシュ装置の発光部６が配置されている。
【００３２】
外装ケース４の上面の光学式ビューファインダ２と反対側には、シャッタボタン８とモード切換ダイヤル９と電源スイッチ１０とが配置されている。モード切換ダイヤル９は、カメラ機能を切り換えるもので、その機能モードとしては、例えば、動画撮影モード、静止画撮影モード、画像再生／編集モード等を挙げることができる。また、他の機能モードとしては、被写体を選択するための手段として適用することもでき、例えば、風景モード、等身大モード、顔サイズモード等を設定して、被写体に応じてそれらの切り換えに用いることもできる。
【００３３】
このような機能を有するモード切換ダイヤル９はリング状をなしており、その穴内に、シャッタボタン８が押圧操作可能に収納されている。このシャッタボタン８の押圧操作により、静止画の撮影と動画の撮影を選択的に行うことができる。また、電源スイッチ１０は、内蔵されているバッテリー電源からの電力を各部に供給して、各種機能モードの撮影等を可能にするものである。図２に示すように、外装ケース４の側面には、バッテリー電源の収納部と半導体記録メモリ等の記録媒体の収納部を閉じるケース蓋１１が開閉自在に取り付けられている。このケース蓋１１を開放して電源収納部及び記録媒体収納部を露出させることにより、バッテリー電源と記録媒体の着脱操作が可能になる。
【００３４】
レンズ鏡筒７は、図１に示すように、外装ケース４に固定される固定プレート７ａと、この固定プレート７ａに固定された固定鏡筒７ｂと、この固定鏡筒７ｂに進退移動可能に保持された２個（３個以上であってもよい。）の可動鏡筒７ｃ，７ｄ等を備えている。可動鏡筒７ｃ，７ｄ及び固定鏡筒７ｂには、対物レンズ５やその他のレンズ或いは必要により赤外線カットフィルタや光学式ローパスフィルタ等の光学フィルタが保持されている。
【００３５】
光学式ビューファインダ２は、図３に示すように、対物レンズ５とズーム調整レンズ１２と第１プリズム１３と第２プリズム１４と接眼レンズ１５とを備えている。これらレンズ及びプリズムが、図４及び図５並びに図１１及び図１２に示すように、ハウジング１６内に収納され、そのハウジング１６の上面に設けた開口部がカバー１７によって開閉可能に閉じられている。
【００３６】
対物レンズ５とズーム調整レンズ１２は、それぞれの光軸を一致させてハウジング１６に、その光軸方向へそれぞれ連動して移動可能に構成されている。これら対物レンズ５及びズーム調整レンズ１２の光軸上の先方には、第１プリズム１３が配置されている。第１プリズム１３は直角プリズムからなり、４５度の傾斜角をなす２つの反射面に対向する面が入射面１３ａと出射面１３ｂとされている。これら入射面１３ａと出射面１３ｂは、入射面１３ａを下にして上下方向に配置されており、上方に位置する出射面１３ｂの周縁には、視界範囲の外縁を設定する視野枠２４が設けられている。
【００３７】
第１プリズム１３の出射面１３ｂには、第２プリズム１４の入射面１４ａが対向されている。第２プリズム１４も直角プリズムからなっており、４５度の傾斜角をなす２つの反射面に対向する面が入射面１４ａと出射面１４ｂとされている。これら入射面１４ａと出射面１４ｂは横並びに配置されていて、出射面１４ｂの光軸上の先方に、同じく光軸を一致させた接眼レンズ１５が配置されている。この接眼レンズ１５の光軸上の先方にユーザーの目が配置される。
【００３８】
ハウジング１６は、略四角形に形成された平面部２０と、この平面部２０の上面に設けられた上囲い壁部２１と、平面部２０の下面に設けられた下囲い壁部２２とを備えている。平面部２０の上面に設けた上囲い壁部２１は五角形をなしていて、略９０度に角度付けされた上前面壁２１ａと、この上前面壁２１ａの両端に連続して後方に延在された左右の上側面壁２１ｂ，２１ｃと、両上側面壁２１ｂ，２１ｃ間において平行に設けられた仕切り壁２１ｄとを有している。上囲い壁部２１の上面と後面は開口されており、この上囲い壁部２１にカバー１７が着脱可能に取り付けられている。
【００３９】
カバー１７は、上囲い壁部２１の上面の形状と対応する平面形状を有しており、その上面の開口部と後面に開口された開口部の一側を閉じることができる形状とされている。このカバー１７には、上囲い壁部２１に取り付けるための弾性を有する取付片１７ａが３箇所に設けられている。各取付片１７ａには、四角形をなす係合穴２５がそれぞれ設けられている。そして、これら係合穴２５に対応する上囲い壁部２１の上前面壁２１ａ及び上側面壁２１ｂ，２１ｃの３箇所には、係合穴２５に対して着脱可能とされた突起状の係合爪２６がそれぞれ設けられている。
【００４０】
上囲い壁部２１の上前面壁２１ａの内側には、前述した第２プリズム１４が入射面１４ａ及び出射面１４ｂを後方へ向けた状態で収納される。これにより第２プリズム１４の後方が仕切り壁２１ｄによって左右に仕切られ、入射面１４ａに対向される入射側光路１８と出射面１４ｂに対向される出射側光路１９とが設定されている。この出射側光路１９には、次に述べる本発明の第１実施例に係る接眼レンズ１５が配設され、また、入射側光路１８には、後述する本発明の第２実施例に係る第１プリズム１３が配設されている。これら接眼レンズ１５及び第１プリズム１３は、一対のリブ部１５ａ，１５ｂ及び１３ａ，１３ｂをハウジング１６のスリット部２８及び２９にそれぞれ差し込み、各スリット部２８及び２９で一対のリブ部１５ａ，１５ｂ及び１３ａ，１３ｂをそれぞれ挟持することによってハウジング１６にそれぞれ個別に支持されて固定されている。
【００４１】
接眼レンズ１５は、図６及び図７に示すように、凸レンズからなるレンズ本体１５ａと、このレンズ本体１５ａの光軸（本実施例では、光軸をＺ軸として、これに直交すると共に互いに直角をなす２軸をＸ軸及びＹ軸として説明する。）と直交する方向である左右方向（本実施例では、Ｘ軸として説明する。）の両側に設けた一対のリブ部１５ｂ，１５ｃとから構成されている。接眼レンズ１５の一対のリブ部１５ｂ，１５ｃは、それぞれの厚み（Ｚ軸方向の寸法）がレンズ本体１５ａの最も薄い部分よりも小さく（薄く）設定されていて、そのレンズ本体１５ａの上端から下端までそれぞれ延在されている。
【００４２】
図８Ａ〜Ｅは接眼レンズ１５を示すもので、図８Ａは正面図、図８Ｂは平面図、図８Ｃは底面図、図８Ｄは左側面図、図８Ｅは右側面図である。接眼レンズ１５の一対のリブ部１５ｂ，１５ｃのうち、図８Ａにおいて左側に位置する一方のリブ部である第１リブ部１５ｂの一面側の上下方向中途部には第１凸部３１ａが設けられ、その第１凸部３１ａの前面にはＺ軸と垂直をなす方向に展開された平面からなる第１平面３１ｂが形成されている。また、他方のリブ部である第２リブ部１５ｃの一面側の上下方向両端部には第２凸部３２ａと第３凸部３３ａが設けられている。第２凸部３２ａ及び第３凸部３３ａの前面には、それぞれＺ軸と垂直をなす方向に展開された平面からなる第２平面３２ｂ及び第３平面３３ｂが形成されている。
【００４３】
第３平面３３ｂは第２平面３２ｂよりも内側に設定されており、第２リブ部１５ｃの中心から第３平面３３ｂまでの長さ（距離）よりも第２リブ部１５ｃの中心から第２平面３２ｂまでの長さ（距離）が長くなるように設定されている。これにより、第２平面３２ｂと第３平面３３ｂとの間に、Ｚ軸方向に所定の間隔を設定する段差ｒが設けられている。
【００４４】
かくして、第１平面３１ｂと第２平面３２ｂと第３平面３３ｂとの３つの平面は、レンズ本体１５ａを挟んでトライアングル状に配置されていると共に、互いに平行をなす平面とされている。これら第１平面〜第３平面３１ｂ〜３３ｂによって、光学部品の第１の具体例を示す接眼レンズ１５の、第１スリット部２８に対する挿入方向と平行をなす３箇所の基準面が構成されている。
【００４５】
また、一対のリブ部１５ｂ，１５ｃのうち、第１リブ部１５ｂの他面側の上下方向略中間部には第４凸部３４が設けられ、第２リブ部１５ｃの他面側の上下方向略中間部には第５凸部３５が設けられている。これら第４凸部３４及び第５凸部３５は、略同じ高さ位置に設定されており、表面形状が曲面をなす半円筒状の凸部としてそれぞれ形成されている。
【００４６】
更に、第１リブ部１５ｂの上部には、側方（Ｘ軸方向と反対方向）に突出する第６凸部３６が設けられている。第６凸部３６は、第４凸部３４と同様に表面形状が曲面をなす半円筒状の凸部として形成されている。この第１リブ部１５ｂの下部には、下方に突出する角形の第８凸部３８ａが設けられている。この第８凸部３８ａの下面には、Ｙ軸と垂直をなす方向に展開された平面からなる第１底平面３８ｂが形成されている。
【００４７】
また、第２リブ部１５ｃの上部には、側方（Ｘ軸方向）に突出する第７凸部３７ａが設けられている。この第７凸部３７ａの側面には、Ｘ軸と垂直をなす方向に展開された平面からなる横平面３７ｂが形成されている。この他方のリブ部１５ｃの下部には、下方に突出する角形の第９凸部３９ａが設けられている。この第９凸部３９ａの下面には、Ｙ軸と垂直をなす方向に展開された平面からなる第２底平面３９ｂが形成されている。
【００４８】
このような構成を有する接眼レンズ１５が挿入されるハウジング１６の第１スリット部２８は、図４、図５、図９及び図１０に示すような構成を備えている。第１スリット部２８は、ハウジング１６の平面部２０と上囲い壁部２１とカバー１７とで囲まれた第２プリズム１４の出射側光路１９の出口部分に設定されている。この第１スリット部２８は、上側面壁２１ｃの後部内面に設けたＶ溝状の第１縦案内溝４１と、仕切り壁２１ｄの後部内面に設けたＶ溝状の第２縦案内溝４２とから構成されている。そして、平面部２０には、第１縦案内溝４１と第２縦案内溝４２に連通される第１底受面４３ａと第２底受面４３ｂとが設けられている。
【００４９】
図４及び図５に示すように、第１スリット部２８の第１縦案内溝４１には接眼レンズ１５の第１リブ部１５ｂが挿入され、第２縦案内溝４２には接眼レンズ１５の第２リブ部１５ｃが挿入される。この接眼レンズ１５が両縦案内溝４１，４２にガイドされて所定位置まで挿入されると、接眼レンズ１５の挿入側先端である下面が平面部２０の上面に当接される。その後、ハウジング１６にカバー１７を装着することにより、カバー１７の内面が接眼レンズ１５の上面に当接される。これにより、四角形をなすレンズ本体１５ａが同じく四角形をなす開口窓に嵌め合わされ、接眼レンズ１５が第１スリット部２８を介してハウジング１６に固定的に取り付けられる。
【００５０】
図９Ａはハウジング１６に設けた第１スリット部２８を上方から見た平面図、図９Ｂは図９ＡのＦ−Ｆ線断面図、図９Ｃは図９ＡのＧ−Ｇ線断面図、図９Ｄは図９ＡのＨ−Ｈ線断面図である。そして、図１０Ａは第１スリット部２８に接眼レンズ１５を装着した状態の正面図、図１０Ｂは図１０ＡのＩ−Ｉ線断面図、図１０Ｃは図１０ＡのＪ−Ｊ線断面図である。
【００５１】
図９Ａ〜図９Ｄ及び図１０Ａ〜図１０Ｃに示すように、第１スリット部２８の第１縦案内溝４１及び第２縦案内溝４２は、各溝の両面に適当な大きさの抜き勾配が設けられたＶ溝状の凹部を基本的形状として形成されている。そして、第１縦案内溝４１及び第２縦案内溝４２の各勾配面４４ａ，４４ｂ及び４５ａ，４５ｂの適当な箇所に、ある程度の大きさ（面積）を有する平面部が形成されている。
【００５２】
この第１実施例では、前述した接眼レンズ１５の形状に対応させて、接眼レンズ１５の一面側に対向される第１縦案内溝４１及び第２縦案内溝４２の一方の勾配面４４ａ，４５ａには、３箇所に平面部を設けてこれらを第１支持面としている。これら３箇所の第１支持面には、接眼レンズ１５の３箇所の基準面（第１平面３１ｂから第３平面３３ｂまで）が面接触される。また、接眼レンズ１５の他面側に対向される第１縦案内溝４１及び第２縦案内溝４２の他方の勾配面４４ｂ，４５ｂには、２箇所に平面部を設けてこれらを第２支持面としている。この２箇所の第２支持面には、接眼レンズ１５の２箇所の凸部（第４凸部３４と第５凸部３５）が略線接触される。
【００５３】
次に、第１スリット部２８の形状及び構造について詳細に説明する。第１スリット部２８の第１縦案内溝４１は、図９Ａ、図９Ｂ及び図９Ｄに現されており、第２プリズム１４に近い側（接眼レンズ１５のＺ軸方向）に位置する第１勾配面４４ａには、その深さ方向（接眼レンズ１５のＹ軸方向及び反Ｙ軸方向）の略中間部に第１受面４７ａが設けられている。この第１受面４７ａには、図１０Ｂに示すように、接眼レンズ１５の第１平面３１ｂが接触される。第１受面４７ａは、第１平面３１ｂよりも少々大きな平面に設定されていると共に、深さ方向と平行に形成されている。
【００５４】
また、第１縦案内溝４１の第２プリズム１４から遠い側（接眼レンズ１５の反Ｚ軸方向）に位置する第２勾配面４４ｂには、同じく深さ方向の略中間部に第４凸部受面４７ｂが設けられている。この第４凸部受面４７ｂには、図１０Ｂに示すように、接眼レンズ１５の第４凸部３４が当接される。第４凸部受面４７ｂは第１受面４７ａと略同じ大きさの平面とされていて、両受面４７ａ，４７ｂは、互いに平行に形成されている。
【００５５】
更に、第１縦案内溝４１の第１勾配面４４ａと第２勾配面４４ｂとに略直角に交わる側面には、図１０Ａに示すように、接眼レンズ１５の第６凸部３６が当接される第６凸部受面４８が設けられている。この第６凸部受面４８も第１受面４７ａ等と同様に、深さ方向と平行に形成されている。
【００５６】
また、第１スリット部２８の第２縦案内溝４２は、図９Ａ、図９Ｂ及び図９Ｃに現されており、第２プリズム１４に近い側に位置する第１勾配面４５ａには、その深さ方向の開口側に第２受面４９ａが設けられ、底面側には第３受面４９ｂが設けられている。図１０Ｃに示すように、第２リブ部１５ｃの中心線ともなる第２縦案内溝４２の中心線Ｑから第２受面４９ａまでの長さ（距離）は、その中心線Ｑから第３受面４９ｂまでの長さよりも長く設定されている。これにより、図９Ｃ及び図１０Ｃに示すように、第２受面４９ａと第３受面４９ｂとの間には所定の長さ（距離）を有する段差Ｒが設定されている。この段差Ｒは、接眼レンズ１５の第２平面３２ｂと第３平面３３ｂとの段差ｒと同じである。
【００５７】
第２縦案内溝４２の第２受面４９ａには接眼レンズ１５の第２平面３２ｂが接触され、第３受面４９ｂには接眼レンズ１５の第３平面３３ｂが接触される。第２受面４９ａは第２平面３２ｂよりも少々大きな平面に設定されており、同様に第３受面４９ｂは第３平面３３ｂよりも少々大きな平面に設定されている。そして、第２受面４９ａと第３受面４９ｂは、それぞれ深さ方向と平行に形成されている。
【００５８】
また、第２縦案内溝４２の第２プリズム１４から遠い側に位置する第２勾配面４５ｂには、深さ方向の略中間部に第５凸部受面４９ｃが設けられている。この第５凸部受面４９ｃには、接眼レンズ１５の第５凸部３５が当接される。第５凸部受面４９ｃは第４凸部受面４７ｂと略同じ大きさの平面とされていて、第２受面４９ａ及び第３受面４９ｂと互いに平行に形成されている。更に、第２縦案内溝４２の第１勾配面４５ａと第２勾配面４５ｂとに略直角に交わる側面には、図１０Ａに示すように、接眼レンズ１５の第７凸部３７ａが当接される横受面５０が設けられている。この横受面５０は、第２受面４９ａ等に対して直角に交わる方向に展開されているが、深さ方向に対しては同じく平行に形成されている。
【００５９】
このような構成を有する接眼レンズ１５並びにハウジング１６及びカバー１７は、例えば、合成樹脂等の溶融可能な材料を用いて射出成形することにより、精度良くしかも比較的簡単に製造することができる。接眼レンズ１５、第１プリズム１３及び第２プリズム１４の材質としては、例えば、メタクリル樹脂（ＰＭＭＡ）「商品名：アクリペット（三菱レイヨン株式会社製）」を挙げることができる。しかしながら、これに限定されるものではなく、その他の合成樹脂を適用できることは勿論である。また、ハウジング１６及びカバー１７の材質としては、例えば、ガラス繊維強化ポリカーボネートが好適であるが、これに限定されるものではなく、その他の合成樹脂を用いることができることは勿論のこと、アルミニウム合金やステンレス鋼等の金属を用いることもできる。
【００６０】
前記接眼レンズ１５と第１スリット部２８とからなる光学部品保持装置は、例えば、次のようにして用いられる。接眼レンズ１５は、レンズ本体１５ａの横方向両側に設けた一対のリブ部１５ｂ，１５ｃを、ハウジング１６に設けた第１スリット部２８の一対の縦案内溝４１，４２に挿入し、第１スリット部２８で一対のリブ部１５ｂ，１５ｃを挟持することで取り付けられる。そして、ハウジング１６にカバー１７を装着し、そのカバー１７で接眼レンズ１５の上部を押圧することにより、接眼レンズ１５がハウジング１６の所定位置に位置決めされて固定される。
【００６１】
この場合、接眼レンズ１５とハウジング１６を射出成形によって形成するものとすると、ハウジング１６に設けた第１スリット部２８の第１縦案内溝４１及び第２縦案内溝４２の深さ方向（Ｙ軸方向及び反Ｙ軸方向）の長さ（距離）が長いため、金型構造上、金型のキャビティ側面には抜き勾配が必要になる。この抜き勾配を有する金型によって製造された接眼レンズとハウジングを組み立てる場合、その組立精度を高くするためには、一般にスリット部の抜き勾配の精度をその全面に亘って高精度に設定する必要があるが、それには大きな困難が伴うことになる。これに対して、スリット部の抜き勾配の精度を位置合わせと無関係にして、部分的に抜き勾配を無くして平面にすることは、金型構造上においても可能である。そして、このように形成された平面部を数箇所に設けるとしても、それら平面部の位置を高精度に設定することは比較的容易である。
【００６２】
本発明は、このような観点に鑑みてなされたものであり、スリット部及び一対のリブ部の抜き勾配の複数箇所に平面を設け、それら複数の平面を基準面として用いることにより、ハウジングに対する接眼レンズの位置決めを簡単且つ高精度に行うことができるようにしたことを特徴としている。
【００６３】
本実施例では、ハウジング１６の第１スリット部２８には、第１受面４７ａ、第２受面４９ａ及び第３受面４９ｂと、第４凸部受面４７ｂ、第５凸部受面４９ｃ、第６凸部受面４８及び横受面５０とを設け、これらの受面において「抜き勾配無し」として、接眼レンズ１５の挿入方向（反Ｙ軸方向）と平行をなす適当な大きさの平面を複数箇所に形成している。この際、第２受面４９ａと第３受面４９ｂとの間には抜き勾配が必要となる。そのため、両受面４９ａ，４９ｂ間には段差Ｒを設け、その段差Ｒによって成形品の取り出しを可能としている。また、第１スリット部２８の底（深さ方向の下面）には、第１縦案内溝４１及び第２縦案内溝４２に連続される第１底受面４３ａ及び第２底受面４３ｂを設けている。
【００６４】
このような第１スリット部２８の各受面に当接される平面及び凸部が、前述したように光学部品の第１実施例を示す接眼レンズ１５の一対のリブ部１５ｂ，１５ｃに設けられている。すなわち、一対のリブ部１５ｂ，１５ｃには、第１凸部３１ａから第９凸部３９ａまでの９箇所に凸部が設けられており、そのうち第１凸部３１ａから第３凸部３３ａまでの３箇所の凸部の外面に、第１平面３１ｂから第３平面３３ｂまでの３箇所の平面が設けられている。そして、第７凸部３７ａの外面に横平面３７ｂが設けられ、第８凸部３８ａと第９凸部３９ａの外面に、第１底平面３８ｂと第２底平面３９ｂが設けられている。
【００６５】
更に、リブ部１５ｃの第２平面３２ｂと第３平面３３ｂとの間には、第１スリット部２８の段差Ｒに対応する同じ大きさの段差ｒ（図８Ｅを参照）が設けられている。この段差ｒは、第２リブ部１５ｃの中心から第２平面３２ｂまでの距離（長さ）を第２リブ部１５ｃの中心から第３平面３３ｂまでの距離（長さ）よりも短くすることによって形成されている。
【００６６】
かくして、第１スリット部２８の第１受面４７ａには第１リブ部１５ｂの第１平面３１ｂが接触され、第２受面４９ａには第２リブ部１５ｃの第２平面３２ｂが接触されると共に、第３受面４９ｂには第３平面３３ｂが接触される。第１スリット部２８の第４凸部受面４７ｂには第１リブ部１５ｂの第４凸部３４が当接され、第５凸部受面４９ｃには第２リブ部１５ｃの第５凸部３５が当接される。更に、第１スリット部２８の第６凸部受面４８には第１リブ部１５ｂの第６凸部３６が当接され、横受面５０には第２リブ部１５ｃの横平面３７ｂが接触される。そして、第１スリット部２８の第１底受面４３ａには第１リブ部１５ｂの第１底平面３８ｂが接触され、第２底受面４３ｂには第２リブ部１５ｃの第２底平面３９ｂが接触される。
【００６７】
前記第１平面３１ｂと第２平面３２ｂと第３平面３３ｂと横平面３７ｂと第１底平面３８ｂと第２底平面３９ｂとが、第１スリット部２８の各受面に接眼レンズ１５を当て付けるための基準面となるものである。また、第４凸部３４と第５凸部３５と第６凸部３６との各円弧状凸部は、組立時の軽圧入等によって接眼レンズ１５の取付ガタを吸収するために設けたものである。
【００６８】
この第１スリット部２８の第１受面４７ａと第２受面４９ａと第３受面４９ｂとによって、基準面である第１平面３１ｂから第３平面３３ｂまでの各平面に接触してこれらを支持する第１支持面が構成されている。そして、第１スリット部２８の第４凸部受面４７ｂと第５凸部受面４９ｃとによって、第４凸部３４と第５凸部３５とに当接してこれらを支持する第２支持面が構成されている。
【００６９】
次に、前述したような構成を有する接眼レンズ１５、ハウジング１６、及び後述する第１プリズム１３を製造するための射出成形用金型について説明する。ここで金型について説明するのは、接眼レンズ１５、ハウジング１６及び第１プリズム１３が射出成形によって製造されるものだからである。すなわち、成形品である接眼レンズ１５及びハウジング１６（第１プリズム１３も同様である。）の外形を成形するための金型のキャビティ（空間部分）を精度良く形成することができれば、その成形精度がそのまま成形品の精度となって得られるからである。
【００７０】
本発明の特徴は、金型のキャビティ、特に、基準面と第１及び第２支持面の位置精度を高く形成することにより、その高い精度の基準面を有する接眼レンズ１５及び高い精度の第１支持面及び第２支持面を有するハウジング１６が、直接射出成形によって得られるようにして、組立作業が簡単であって高い位置精度が得られるようにすることにある。この場合、金型のキャビティに設けられる基準面や第１及び第２支持面は、リブ部やスリット部に形成される抜き勾配の一部に設けられる比較的小さな平面であるため、それらの精度は容易に高く設定することができる。
【００７１】
接眼レンズ１５では、これを射出成形するための接眼レンズ用金型のキャビティにおいて、接眼レンズ１５の一対のリブ部１５ｂ，１５ｃに設けた第１平面３１ｂ、第２平面３２ｂ、第３平面３３ｂ及び横平面５０にそれぞれ対応する各平面の位置を、それぞれ適当に補正しながら所定の高い位置精度に設定する。すなわち、一対のリブ部１５ｂ，１５ｃの各平面に対応するキャビティのそれぞれの対応平面を、図６に示すＸ軸、Ｙ軸及びＺ軸からなる座標軸上において、Ｘ軸、Ｙ軸若しくはＺ軸の軸方向に追い込んでこれら軸方向における高い位置精度と、Ｘ軸、Ｙ軸及びＺ軸を中心とした回転方向における高い傾き精度とが得られるように調整する。
【００７２】
このように対応平面をそれぞれ補正して所定の寸法に追い込んだ後、キャビティ内の、一対のリブ部１５ｂ，１５ｃの第４凸部３４、第５凸部３５及び第６凸部３６に対応する円弧状凹面からなる対応凹面を前記座標軸上で追い込み、所定の高い位置精度と傾き精度が得られるように調整する。このようにして調整される接眼レンズ用金型のキャビティ内の前記平面及び凸部は、各リブ部１５ｂ，１５ｃの一部に形成される比較的小さな面積部分であるため、その位置精度と傾き精度とを高く設定する調整作業は比較的容易に行うことができる。
【００７３】
また、ハウジング１６も同様に、これを射出成形するための金型のキャビティにおいて、Ｖ溝状をなす第１スリット部２８に設けた第１受面４７ａ、第２受面４９ａ、第３受面４９ｂ、第４凸部受面４７ｂ、第５凸部受面４９ｃ、第６凸部受面４８及び横受面５０にそれぞれ対応する各平面の位置を、それぞれ適当に補正しながら所定の高い位置精度に設定する。すなわち、第１スリット部２８の各平面に対応するキャビティのそれぞれの対応平面を、Ｘ軸、Ｙ軸及びＺ軸からなる座標軸上において、Ｘ軸、Ｙ軸若しくはＺ軸の軸方向に追い込んでこれら軸方向における高い位置精度と、Ｘ軸、Ｙ軸及びＺ軸を中心とした回転方向における高い傾き精度とが得られるように調整する。
【００７４】
このようにして調整されるハウジング用金型のキャビティ内の前記平面は、第１スリット部２８の一部に形成される比較的小さな面積部分であるため、その位置精度と傾き精度とを高く設定する調整作業は、同じく比較的容易に行うことができる。このような接眼レンズ用金型及びハウジング用金型の各キャビティにおける調整方法と補正面との関係を、表１に示す。
【００７５】
【表１】
2005234334.tif 000003
【００７６】
この表１から明らかなように、Ｘ軸方向において、一対のリブ部１５ｂ、１５ｃについては横平面３７ｂの位置を補正して調整することができ、また、第１スリット部２８については横受面５０の位置を補正して調整することができる。Ｙ軸方向においては、一対のリブ部１５ｂ、１５ｃでは第１底平面３８ｂと第２底平面３９ｂの位置を補正して調整することができ、また、第１スリット部２８では第１底受面４３ａと第２底受面４３ｂの位置を補正して調整することができる。更に、Ｚ軸方向においては、リブ部１５ｂ、１５ｃでは第１平面３１ｂと第２平面３２ｂと第３平面３３ｂの位置を補正して調整することができ、また、第１スリット部２８では第１受面４７ａと第２受面４９ａと第３受面４９ｂの位置を補正して調整することができる。
【００７７】
また、Ｘ軸上における回転方向Θｘにおいては、第２平面３２ｂと第３平面３３ｂとの段差ｒを補正して調整することができる。Ｙ軸上における回転方向Θｙにおいては、第１平面３１ｂと第２平面３２ｂとの段差と、第１平面３１ｂと第３平面３３ｂとの段差の両方を補正して調整することができる。更に、Ｚ軸上における回転方向Θｚにおいては、第１底平面３８ｂと第２底平面３９ｂとの段差を補正して調整することができる。
【００７８】
このようにして形成される金型を用い、原材料としてメタクリル樹脂（ＰＭＭＡ）等を使用して接眼レンズ及び後述する第１，第２プリズムを射出成形し、また、原材料としてガラス繊維強化ポリカーボネート等を使用してハウジングを射出成形することにより、各部の寸法精度が高く、寸法誤差の少ない接眼レンズ１５及びハウジング１６を得ることができる。従って、このようにして形成される接眼レンズ１５とハウジング１６を用い、ハウジング１６の第１縦案内溝４１及び第２縦案内溝４２内に一対のリブ部１５ｂ，１５ｃを挿入して第１スリット部２８で一対のリブ部１５ｂ，１５ｃを挟持することにより、組立時におけるクリアランスの発生を抑え、高精度な取り付けを行うことができる。
【００７９】
図１１〜図１５は、本発明の第２実施例を示すもので、光学部品として第１プリズム１３を適用したものである。ハウジング１６は、前記実施例で述べたものと同一であり、その入射側光路１８内に第２のスリット部２９が設けられている。入射側光路１８には、ハウジング１６の平面部を上下方向に貫通する開口穴が設けられており、その開口穴の両側を囲う上下側面壁２１ｂ，２２ｂ及び仕切り壁２１ｄに第２のスリット部２９が設けられている。
【００８０】
第１プリズム１３は、前述した接眼レンズ１５の一対のリブ部１５ｂ，１５ｃと同様の構成を有する一対のリブ部５５ａ，５５ｂを有している。図１１及び図１２に示すように、一対のリブ部５５ａ，５５ｂをハウジング１６の第２スリット部２９に差し込み、その第２スリット部２９で一対のリブ部５５ａ，５５ｂを挟持することにより、第１プリズム１３がハウジング１６に支持固定される。
【００８１】
図１３Ａ〜Ｅは第１プリズム１３を示すもので、図１３Ａは正面図、図１３Ｂは平面図、図１３Ｃは底面図、図１３Ｄは左側面図、図１３Ｅは右側面図である。第１プリズム１３は、直角プリズムからなるプリズム本体５５ａと、このプリズム本体５５ａの左右方向の両側に突出して設けた一対のリブ部５５ｂ，５５ｃとから構成されている。第１プリズム１３の一対のリブ部５５ｂ，５５ｃは、入射面１３ａ及び出射面１３ｂと平行する方向に延在されていて、下端は入射面１３ａの中心近くに設定され、上端は出射面１３ｂの中心近くに設定されている。
【００８２】
一対のリブ部５５ｂ，５５ｃのうち、図１３Ａにおいて右側に位置する第１リブ部５５ｂ（左側のリブ部であってもよい。）の一面側の上下方向中途部には第１凸部６１ａが設けられ、その第１凸部６１ａの前面には入射面１３ａ等と平行する方向に展開された平面からなる第１平面６１ｂが形成されている。また、図１３Ａにおいて左側に位置する第２リブ部５５ｃ（右側のリブ部であってもよい。）の一面側の上下方向両端部には第２凸部６２ａと第３凸部６３ａが設けられている。第２凸部６２ａ及び第３凸部６３ａの前面には、それぞれ平行する方向に展開された平面からなる第２平面６２ｂ及び第３平面６３ｂが形成されている。
【００８３】
第３平面６３ｂは第２平面６２ｂよりも内側に設定されており、第２リブ部５５ｃの中心から第３平面６３ｂまでの長さ（距離）よりも第２リブ部５５ｃの中心から第２平面６２ｂまでの長さ（距離）が長くなるように設定されている。これにより、第２平面６２ｂと第３平面６３ｂとの間に、Ｚ軸方向に所定の間隔を設定する段差ｒが設けられている。
【００８４】
かくして、第１平面６１ｂと第２平面６２ｂと第３平面６３ｂとの３つの平面は、プリズム本体５５ａを挟んでトライアングル状に配置されていると共に、互いに平行をなす平面とされている。これら第１平面６１ｂ〜第３平面６３ｂによって、光学部品の第２の具体例を示す第１プリズム１３の、第２スリット部２９に対する挿入方向と平行をなす３箇所の基準面が構成されている。
【００８５】
また、一対のリブ部５５ｂ，５５ｃのうち、第１リブ部５５ｂの他面側の上下方向略中間部には第４凸部６４が設けられ、第２リブ部５５ｃの他面側の上下方向略中間部には第５凸部６５が設けられている。これら第４凸部６４及び第５凸部６５は、略同じ高さ位置に設定されており、表面形状が曲面をなす半円筒状の凸部としてそれぞれ形成されている。
【００８６】
更に、第１リブ部５５ｂの上部には、側方（光が入射及び出射する方向と直交する方向）に突出する第６凸部６６が設けられている。第６凸部６６は、第４凸部６４と同様に表面形状が曲面をなす半円筒状の凸部として形成されている。この第１リブ部５５ｂの下部には、下方に突出する角形の第８凸部６８ａが設けられている。この第８凸部６８ａの下面には、横平面６７ｂと垂直をなす方向に展開された平面からなる第１底平面６８ｂが形成されている。
【００８７】
また、第２リブ部５５ｃの上部には、第６凸部６６と反対側の側方に突出する第７凸部６７ａが設けられている。この第７凸部６７ａの側面には、プリズム本体５５ａの前面と直交する方向に展開された平面からなる横平面６７ｂが形成されている。この第２リブ部５５ｃの下部には、下方に突出する角形の第９凸部６９ａが設けられている。この第９凸部６９ａの下面には、横平面６７ｂと垂直をなす方向に展開された平面からなる第２底平面６９ｂが形成されている。
【００８８】
このような構成を有する第１プリズム１３が挿入されるハウジング１６の第２スリット部２９は、図１１、図１２、図１４及び図１５に示すような構成を備えている。すなわち、第２スリット部２９は、ハウジング１６の平面部２０を上下方向に貫通する開口穴５２を備えており、その開口穴５２の下面はハウジング１６の斜面部１６ａによって閉じられている。また、開口穴５２の上面は、カバー１７に設けた斜面部１７ｂによって閉じられる。
【００８９】
図１４Ａはハウジング１６に設けた第２スリット部２９を上方から見た平面図、図１４Ｂは図１４ＡのＫ−Ｋ線断面図、図１４Ｃは図１４ＡのＬ−Ｌ線断面図、図１４Ｄは図１４ＡのＭ−Ｍ線断面図である。そして、図１５Ａは第２スリット部２９に第２プリズム１３を装着した状態の正面図、図１５Ｂは図１５ＡのＮ−Ｎ線断面図、図１５Ｃは図１５ＡのＰ−Ｐ線断面図である。
【００９０】
図１４Ａ〜Ｄに示すように、第２スリット部２９は、上側面壁２１ｂから下側面壁２２ｂに亘る内面に設けたＶ溝状の第１縦案内溝７１と、仕切り壁２１ｄの内面に設けたＶ溝状の第２縦案内溝７２とから構成されている。第１縦案内溝７１の開口側には切欠き部７０ａが設けられ、第２縦案内溝７２の開口側には切欠き部７０ｂが設けられている。これにより、第１縦案内溝７１及び第２縦案内溝７２の各上端が出射面１３ｂの略中央部に位置するように構成されている。
【００９１】
第２スリット部２９の第１縦案内溝７１及び第２縦案内溝７２は、各溝の両面に適当な大きさの抜き勾配が設けられたＶ溝状の凹部を基本的形状として形成されている。更に、第１縦案内溝７１の底には第１底受面７３ａが設けられ、第２縦案内溝７２の底には第２底受面７３ｂが設けられている。そして、第１縦案内溝７１及び第２縦案内溝７２の各勾配面７４ａ，７４ｂ及び７５ａ，７５ｂの適当な箇所に、ある程度の大きさ（面積）を有する平面部が形成されている。
【００９２】
次に、第２スリット部２９の形状及び構造について詳細に説明する。第２スリット部２９の第１縦案内溝７１は、図１４Ａ、図１４Ｂ及び図１４Ｃに現されており、第２プリズム１４に近い側に位置する第１勾配面７４ａには、その深さ方向の略中間部に第１受面７７ａが設けられている。この第１受面７７ａには、図１５Ｃに示すように、第１プリズム１３の第１平面６１ｂが接触される。第１受面７７ａは、第１平面６１ｂよりも少々大きな平面に設定されていると共に、深さ方向と平行に形成されている。
【００９３】
第１縦案内溝７１の第２プリズム１４から遠い側に位置する第２勾配面７４ｂには、同じく深さ方向の略中間部に第４凸部受面７７ｂが設けられている。この第４凸部受面７７ｂには、図１５Ｃに示すように、第１プリズム１３の第４凸部６４が当接される。第４凸部受面７７ｂは第１受面７７ａと略同じ大きさの平面とされていて、両受面７７ａ，７７ｂは、互いに平行に形成されている。そして、第１縦案内溝７１の第１勾配面７４ａと第２勾配面７４ｂとに略直角に交わる側面には、図１５Ａに示すように、第１プリズム１３の第６凸部６６が当接される第６凸部受面７８が設けられている。この第６凸部受面７８も第１受面７７ａ等と同様に、深さ方向と平行に形成されている。
【００９４】
また、第２スリット部２９の第２縦案内溝７２は、図１４Ａ、図１４Ｂ及び図１４Ｄに現されており、第２プリズム１４に近い側に位置する第１勾配面７５ａには、その深さ方向の開口側に第２受面７９ａが設けられ、底面側には第３受面７９ｂが設けられている。図１５Ｂに示すように、第２リブ部５５ｃの中心線ともなる第２縦案内溝７２の中心線Ｑから第２受面７９ａまでの長さ（距離）は、その中心線Ｑから第３受面７９ｂまでの長さよりも長く設定されている。これにより、図１４Ｄ及び図１５Ｂに示すように、第２受面７９ａと第３受面７９ｂとの間には所定の長さ（距離）を有する段差Ｒが設定されている。この段差Ｒは、第１プリズム１３の第２平面６２ｂと第３平面６３ｂとの段差ｒと同じである。
【００９５】
第２縦案内溝７２の第２受面７９ａには第１プリズム１３の第２平面６２ｂが接触され、第３受面７９ｂには第１プリズム１３の第３平面６３ｂが接触される。第２受面７９ａは第２平面６２ｂよりも少々大きな平面に設定されており、同様に第３受面７９ｂは第３平面６３ｂよりも少々大きな平面に設定されている。そして、第２受面７９ａと第３受面７９ｂは、それぞれ深さ方向と平行に形成されている。
【００９６】
また、第２縦案内溝７２の第２プリズム１４から遠い側に位置する第２勾配面７５ｂには、深さ方向の略中間部に第５凸部受面７９ｃが設けられている。この第５凸部受面７９ｃには、第１プリズム１３の第５凸部６５が当接される。第５凸部受面７９ｃは第４凸部受面７７ｂと略同じ大きさの平面とされていて、第２受面７９ａ及び第３受面７９ｂと互いに平行に形成されている。更に、第２縦案内溝７２の第１勾配面７５ａと第２勾配面７５ｂとに略直角に交わる側面には、図１５Ａに示すように、第１プリズム１３の第７凸部６７ａが当接される横受面８０が設けられている。この横受面８０は、第２受面７９ａ等に対して直角に交わる方向に展開されているが、深さ方向に対しては同じく平行に形成されている。
【００９７】
図１１及び図１２に示すように、第２スリット部２９の第１縦案内溝７１には第１プリズム１３の第１リブ部５５ｂが挿入され、第２縦案内溝４２には第２リブ部５５ｃが挿入される。そして、第１プリズム１３が両縦案内溝７１，７２にガイドされて所定位置まで挿入されると、第１プリズム１３の挿入側先端である下面が各縦案内溝７１，７２の底に当接される。その後、ハウジング１６にカバー１７を装着することにより、カバー１７の内面が第１プリズム１３の上面に当接される。これにより、三角形のブロック体からなる第１プリズム１３が入射側光路１８内の所定位置に位置決めされ、第２スリット部２９を介してハウジング１６に固定的に取り付けられる。
【００９８】
このとき、第１プリズム１３の入射面１３ａは平面部２０の下方に突出され、出射面１３ｂは平面部２０の上方に突出される。この第１プリズム１３の出射面１３ｂには第２プリズム１４の入射面１４ａが対向され、また、入射面１３ａにはズーム調整レンズ１２が対向される。ズーム調整レンズ１２の前方には対物レンズ５が配置されており、この対物レンズ５を外部に露出させるため、ハウジング１６の下前面壁２２ａには開口窓５３が設けられている。
【００９９】
この第２実施例では、第１プリズム１３の形状に対応させて、第１プリズム１３の前面に対向される第１縦案内溝７１及び第２縦案内溝７２の一方の勾配面７４ａ，７５ａには３箇所に平面部を設けてこれらを第１支持面とし、他方の勾配面７４ｂ，７５ｂには２箇所に平面部を設けてこれらを第２支持面としているが、これとは反対に、一方の勾配面７４ａ，７５ａに第２支持面を設け、他方の勾配面７４ｂ，７５ｂに第１支持面を設ける構成としてもよいことは勿論である。
【０１００】
前記第１プリズム１３と第２スリット部２９とからなる光学部品保持装置は、前述した接眼レンズ１５と同様に用いられる。すなわち、第１プリズム１３は、プリズム本体５５ａの横方向両側に設けた一対のリブ部５５ｂ，５５ｃを、ハウジング１６に設けた第２スリット部２９の一対の縦案内溝７１，７２に挿入し、第２スリット部２９で一対のリブ部５５ｂ，５５ｃを挟持することによって取り付けられる。そして、ハウジング１６にカバー１７を装着し、そのカバー１７で第１プリズム１３の上部を押圧することにより、第１プリズム１３がハウジング１６の所定位置に位置決めされて固定される。
【０１０１】
本実施例では、ハウジング１６の第２スリット部２９には、第１受面７７ａ、第２受面７９ａ及び第３受面７９ｂと、第４凸部受面７７ｂ、第５凸部受面７９ｃ、第６凸部受面７８及び横受面８０とを設け、これらの受面において「抜き勾配無し」として、第１プリズム１３の挿入方向と平行をなす適当な大きさの平面を複数箇所に形成している。この際、第２受面７９ａと第３受面７９ｂとの間には抜き勾配が必要となるが、両受面７９ａ，７９ｂ間に段差Ｒを設け、その段差Ｒによって成形品の取り出しを可能としている。そして、第２スリット部２９の第１縦案内溝７１及び第２縦案内溝７２の各底（深さ方向の下面）には第１底受面７３ａ及び第２底受面７３ｂを設けている。
【０１０２】
このような第２スリット部２９の各受面に当接される平面及び凸部が、光学部品の第２実施例を示す第１プリズム１３の一対のリブ部５５ｂ，５５ｃに設けられている。すなわち、一対のリブ部５５ｂ，５５ｃには、第１凸部６１ａから第９凸部６９ａまでの９箇所に凸部が設けられており、そのうち第１凸部６１ａから第３凸部６３ａまでの３箇所の凸部の外面に、第１平面６１ｂから第３平面６３ｂまでの３箇所の平面が設けられている。そして、第７凸部６７ａの外面に横平面６７ｂが設けられ、第８凸部６８ａと第９凸部６９ａの外面に、第１底平面６８ｂと第２底平面６９ｂが設けられている。
【０１０３】
更に、第２リブ部５５ｃの第２平面６２ｂと第３平面６３ｂとの間には、第２スリット部２９の段差Ｒに対応する同じ大きさの段差ｒ（図１３Ｄを参照）が設けられている。この段差ｒは、第２リブ部５５ｃの中心から第２平面６２ｂまでの距離（長さ）を第２リブ部５５ｃの中心から第３平面６３ｂまでの距離（長さ）よりも短くすることによって形成されている。
【０１０４】
かくして、第２スリット部２９の第１受面７７ａには第１リブ部５５ｂの第１平面６１ｂが接触され、第２受面７９ａには第２リブ部５５ｃの第２平面６２ｂが接触されると共に、第３受面７９ｂには第３平面６３ｂが接触される。第２スリット部２９の第４凸部受面７７ｂには第１リブ部５５ｂの第４凸部６４が当接され、第５凸部受面７９ｃには第２リブ部５５ｃの第５凸部６５が当接される。更に、第２スリット部２９の第６凸部受面７８には第１リブ部５５ｂの第６凸部６６が当接され、横受面８０には第２リブ部５５ｃの横平面６７ｂが接触される。そして、第２スリット部２９の第１底受面７３ａには第１リブ部５５ｂの第１底平面６８ｂが接触され、第２リブ部５５ｃの第２底受面７３ｂには第２リブ部５５ｃの第２底平面６９ｂが接触される。
【０１０５】
前記第１平面６１ｂと第２平面６２ｂと第３平面６３ｂと横平面６７ｂと第１底平面６８ｂと第２底平面６９ｂとが、第２スリット部２９の各受面に第１プリズム１３を当て付けるための基準面となるものである。また、第４凸部６４と第５凸部６５と第６凸部６６との各円弧状凸部は、組立時の軽圧入等によって第１プリズム１３の取付ガタを吸収するために設けたものである。
【０１０６】
前記第２スリット部２９の前記第１受面７７ａと第２受面７９ａと第３受面７９ｂとによって、基準面である第１平面６１ｂから第３平面６３ｂまでの各平面に接触してこれらを支持する第１支持面が構成されている。そして、第２スリット部２９の前記第４凸部受面７７ｂと第５凸部受面７９ｃとによって、第４凸部６４と第５凸部６５とに当接してこれらを支持する第２支持面が構成されている。
【０１０７】
このような構成を有する第１プリズム１３を、前述した実施例と同様にして製作する。すなわち、第１プリズム１３を射出成形するための第１プリズム用金型のキャビティにおいて、第１プリズム１３の一対のリブ部５５ｂ，５５ｃに設けた第１平面６１ｂ、第２平面６２ｂ、第３平面６３ｂ及び横平面８０にそれぞれ対応する各平面の位置を、それぞれ適当に補正しながら所定の高い位置精度に設定する。そして、一対のリブ部５５ｂ，５５ｃの各平面に対応するキャビティのそれぞれの対応平面を、図６に示すＸ軸、Ｙ軸及びＺ軸と同様の座標軸上において、Ｘ軸、Ｙ軸若しくはＺ軸の軸方向に追い込んでこれら軸方向における高い位置精度と、Ｘ軸、Ｙ軸及びＺ軸を中心とした回転方向における高い傾き精度とが得られるように調整する。
【０１０８】
このように対応平面をそれぞれ補正して所定の寸法に追い込んだ後、キャビティ内の、一対のリブ部５５ｂ，５５ｃの第４凸部６４、第５凸部６５及び第６凸部６６に対応する円弧状凹面からなる対応凹面を前記座標軸上で追い込み、所定の高い位置精度と傾き精度が得られるように調整する。このようにして調整される第１プリズム用金型のキャビティ内の前記平面及び凸部は、一対のリブ部５５ｂ，５５ｃの一部に形成される比較的小さな面積部分であるため、その位置精度と傾き精度とを高く設定する調整作業は比較的容易に行うことができる。
【０１０９】
また、ハウジング１６の第２スリット部２９も前述した第１スリット部２８と同様に、これを射出成形するための金型のキャビティにおいて、Ｖ溝状をなす第２スリット部２９に設けた第１受面７７ａ、第２受面７９ａ、第３受面７９ｂ、第４凸部受面７７ｂ、第５凸部受面７９ｃ、第６凸部受面７８及び横受面８０にそれぞれ対応する各平面の位置を、それぞれ適当に補正しながら所定の高い位置精度に設定する。そして、第２スリット部２９の各平面に対応するキャビティのそれぞれの対応平面を、Ｘ軸、Ｙ軸及びＺ軸からなる座標軸上において、Ｘ軸、Ｙ軸若しくはＺ軸の軸方向に追い込んでこれら軸方向における高い位置精度と、Ｘ軸、Ｙ軸及びＺ軸を中心とした回転方向における高い傾き精度とが得られるように調整する。
【０１１０】
このようにして調整されるハウジング用金型のキャビティ内の前記平面は、第１スリット部２８と同様に、第２スリット部２９の一部に形成される比較的小さな面積部分であるため、その位置精度と傾き精度とを高く設定する調整作業は、同じく比較的容易に行うことができる。このような第１プリズム用金型及びハウジング用金型の各キャビティにおける調整方法と補正面との関係は、前述した表１の場合と同様である。
【０１１１】
このようにして形成される金型を用い、例えば、原材料としてメタクリル樹脂（ＰＭＭＡ）等を使用して第１プリズム１３を射出成形することにより、各部の寸法精度が高く、寸法誤差の少ない第１プリズム１３を得ることができる。従って、このようにして形成される第１プリズム１３とハウジング１６を用い、ハウジング１６の第２スリット部２９の第１縦案内溝７１及び第２縦案内溝７２内に一対のリブ部５５ｂ，５５ｃを挿入し、第２スリット部２９で一対のリブ部５５ｂ，５５ｃを挟持することにより、組立時におけるクリアランスの発生を抑え、高精度な取り付けを行うことができる。
【０１１２】
以上説明したように、本発明によれば、射出成形による部品製造に用いられる金型のキャビティ内の抜き勾配が必要とされる場所に複数の小さな平面を基準面として設けるようにしたため、抜き勾配の寸法精度をラフなものにしつつ基準面の位置精度を、射出成形後の補正による追い込みによって高精度に容易に調整することができる。そのため、基準面の位置精度の高い光学部品及びハウジングを得ることができ、視度調整機構を無くし、取付精度を上げて調整を不要にすることができ、その光学部品をハウジングに対して高精度に取り付けることが可能である。しかも、金型におけるスライド機構の付加や部品点数の追加等を必要としないため、金型や部品のコストアップを招くことがなく、製造工程の簡単化とコストダウンを図ることができる。
【産業上の利用可能性】
【０１１３】
本発明は、前述しかつ図面に示した実施の形態に限定されるものではなく、その要旨を逸脱しない範囲内で種々の変形実施が可能である。前記実施例においては、ビデオカメラやスチルカメラ等の撮像装置に用いられる光学式ビューファインダの接眼レンズとプリズムをハウジングに支持固定する例について説明したが、その他にも、例えば、色分離フィルタ、反射ミラー等の光学部品を支持する光学部品保持装置として適用できるものである。
【図面の簡単な説明】
【０１１４】
【図１】本発明の光学部品保持装置が用いられた光学式ビューファインダとレンズ装置を示す斜視図である。
【図２】図１に示す光学式ビューファインダが内蔵された電子スチルカメラの外観斜視図である。
【図３】図１に示す光学式ビューファインダに用いられる光学部品の構成及び配置を示す説明図である。
【図４】本発明の光学部品保持装置が用いられた光学式ビューファインダの第１の実施例を分解して正面側から見た斜視図である。
【図５】本発明の光学部品保持装置が用いられた光学式ビューファインダの第１の実施例を分解して背面側から見た斜視図である。
【図６】本発明に係る光学部品の第１の実施例として示すレンズを３軸座標（Ｘ軸、Ｙ軸及びＺ軸）の斜め上方から見た斜視図である。
【図７】本発明に係る光学部品の第１の実施例として示すレンズを斜め下方から見た斜視図である。
【図８】本発明に係る光学部品の第１の実施例として示すレンズで、同図Ａは正面図、同図Ｂは平面図、同図Ｃは底面図、同図Ｄは左側面図、及び同図Ｅは右側面図である。
【図９】本発明に係るハウジングの第１スリット部を示すもので、同図Ａは平面図、同図Ｂは同図ＡのＦ−Ｆ線断面図、同図Ｃは同図ＡのＧ−Ｇ線断面図、及び同図Ｄは同図ＡのＨ−Ｈ線断面図である。
【図１０】図８Ａ〜Ｅに示すレンズを図９Ａ〜Ｄに示すハウジングの第１スリット部に収納した状態を示すもので、同図Ａはレンズの光軸と直交する方向に断面した説明図、同図Ｂは同図ＡのＩ−Ｉ線断面図、及び同図Ｃは同図ＡのＪ−Ｊ線断面図である。
【図１１】本発明の光学部品保持装置が用いられた光学式ビューファインダの第２の実施例を分解して正面側から見た斜視図である。
【図１２】本発明の光学部品保持装置が用いられた光学式ビューファインダの第２の実施例を分解して背面側から見た斜視図である。
【図１３】本発明に係る光学部品の第２の実施例として示すプリズムで、同図Ａは正面図、同図Ｂは平面図、同図Ｃは底面図、同図Ｄは左側面図、及び同図Ｅは右側面図である。
【図１４】本発明に係るハウジングの第２スリット部を示すもので、同図Ａは平面図、同図Ｂは同図ＡのＫ−Ｋ線断面図、同図Ｃは同図ＡのＬ−Ｌ線断面図、及び同図Ｄは同図ＡのＭ−Ｍ線断面図である。
【図１５】図１３Ａ〜Ｅに示すプリズムを図１４Ａ〜Ｄに示すハウジングの第２スリット部に収納した状態を示すもので、同図Ａはプリズムの光軸と直交する方向に断面した説明図、同図Ｂは同図ＡのＮ−Ｎ線断面図、及び同図Ｃは同図ＡのＰ−Ｐ線断面図である。
【符号の説明】
【０１１５】
１…デジタルスチルカメラ（電子スチルカメラ）、  ２…光学式ビューファインダ、  ５…対物レンズ、  １３…第１プリズム（光学部品）、  １４…第２プリズム、  １５…接眼レンズ（光学部品）、  １５ａ…レンズ本体、  １５ｂ，１５ｃ，５５ｂ，５５ｃ…リブ部、  １６…ハウジング、  １７…カバー、  １８…入射側光路、  １９…出射側光路、  ２０…平面部、  ２１…上囲い壁部、  ２１ａ…仕切り壁、  ２２…下囲い壁部、  ２８，２９…スリット部、  ３１ｂ，６１ｂ…第１平面、  ３２ｂ，６２ｂ…第２平面、  ３３ｂ，６３ｂ…第３平面、  ３４，３５，３６，３７ａ，３８ａ，３９ａ，６４，６５，６６，６７ａ，６８ａ，６９ａ…凸部、  ３７ｂ，６７ｂ…横平面、  ４１，７１…第１縦案内溝、  ４２，７２…第２縦案内溝、  ４３ａ，４３ｂ，７３ａ，７３ｂ…底受面、  ４４ａ，４４ｂ，４５ａ，４５ｂ，７４ａ，７４ｂ，７５ａ，７５ｂ…底受面、  ４７ａ，７７ａ…第１受面、  ４９ａ，７９ａ…第２受面、  ４９ｂ，７９ｂ…第３受面、  ４７ｂ，４８，４９ｃ，７７ｂ，７８，７９ｃ…凸部受面、  ５０，８０…横受面、  ５５ａ…プリズム体、  ５３…開口窓、  Ｒ…段差、  ｒ…段差
【図１】
2005234334.tif 000004
【図２】
2005234334.tif 000005
【図３】
2005234334.tif 000006
【図４】
2005234334.tif 000007
【図５】
2005234334.tif 000008
【図６】
2005234334.tif 000009
【図７】
2005234334.tif 000010
【図８】
2005234334.tif 000011
【図９】
2005234334.tif 000012
【図１０】
2005234334.tif 000013
【図１１】
2005234334.tif 000014
【図１２】
2005234334.tif 000015
【図１３】
2005234334.tif 000016
【図１４】
2005234334.tif 000017
【図１５】
2005234334.tif 000018